(57)【特許請求の範囲】
【請求項１】
第１の軸を有する第１の操作釦及び前記第１の軸より短い第２の軸を有する第２の操作釦の何れか一方が挿入される釦挿入穴が形成されるパネル部材と、前記パネル部材とともに前記第１の軸及び前記第２の軸の何れか一方を支持することが可能な軸支持部材とを備え、
前記パネル部材及び前記軸支持部材の少なくとも一方は、前記第１の操作釦が前記釦挿入穴に挿入されるとき、前記第１の操作釦の押圧方向に略平行である方向に前記第１の軸の移動を規制しながら、前記第１の軸を支持する第一支持部と、前記釦挿入穴の中心に対して前記第一支持部より近くに配置され、前記第２の操作釦が前記釦挿入穴に挿入されるとき、前記第２の軸が前記第２の操作釦の押圧方向に略平行である方向に移動可能であるように、前記第２の軸を支持する第二支持部とを有することを特徴とする釦支持装置。
【請求項２】
前記第一支持部に支持されるときの前記第１の軸の延在方向と、前記第二支持部に支持されるときの前記第２の軸の延在方向とは、略同一線上であることを特徴とする請求項１に記載の釦支持装置。
【請求項３】
前記第一支持部は、前記第１の軸を支持するとき、前記第１の操作釦の押圧方向に略直交する方向に前記第１の軸の移動を規制せず、
前記第二支持部は、前記第１の軸が前記第一支持部に支持されるとき、前記第１の操作釦の押圧方向に略直交する方向に前記第１の軸の移動を規制しながら、前記第１の軸に係合することを特徴とする請求項２に記載の釦支持装置。
【請求項４】
軸を有する操作釦が挿入される釦挿入穴が形成されるパネル部材と、前記パネル部材とともに前記軸を支持することが可能な軸支持部材とを備え、
前記パネル部材及び前記軸支持部材の少なくとも一方は、前記操作釦の押圧方向に略平行である方向に前記軸の移動を規制しながら、前記軸を支持する第一支持部と、前記軸が前記操作釦の押圧方向に略平行である方向に移動可能であるように、前記軸を支持する第二支持部とを有し、前記第一支持部及び前記第二支持部の何れか一方が前記軸を支持し、
前記第一支持部及び前記第二支持部のうち前記第一支持部に支持されるときの前記軸の延在方向と、前記第二支持部に支持されるときの前記軸の延在方向とが異なることを特徴とする釦支持装置。
【請求項５】
前記第一支持部に支持されるときの前記軸の延在方向と、前記第二支持部に支持されるときの前記軸の延在方向とが略直交することを特徴とする請求項４に記載の釦支持装置。
【請求項６】
第１の軸を有する第１の操作釦及び前記第１の軸より細い第２の軸を有する第２の操作釦の何れか一方が挿入される釦挿入穴が形成されるパネル部材と、前記パネル部材とともに前記第１の軸及び前記第２の軸の何れか一方を支持することが可能な軸支持部材とを備え、
前記パネル部材及び前記軸支持部材の少なくとも一方は、前記第１の操作釦が前記釦挿入穴に挿入されるとき、前記第１の操作釦の押圧方向に略平行である方向に前記第１の軸の移動を規制しながら、前記第１の軸を支持し、前記第２の操作釦が前記釦挿入穴に挿入されるとき、前記第２の軸を支持する支持部を有し、
前記支持部は、前記釦挿入穴に挿入されるときの前記第１の操作釦の押圧方向に略平行である方向に溝が形成され、前記溝の幅が前記第１の軸の外径より小さく、前記第２の軸の外径以上であることを特徴とする釦支持装置。
【発明の詳細な説明】
【０００１】
【発明の属する技術分野】
本発明は、車載用音響機器などの電子機器の操作釦を支持する電子機器の釦支持装置に関するものである。
【０００２】
【従来の技術】
従来、操作釦を支持する釦支持装置を備えた電子機器として、図３４に示すような車載用音響機器９００や、図３５に示すような車載用音響機器９５０が知られている。
【０００３】
図３４において、車載用音響機器９００は、同一直線上に延在する軸９１１及び軸９１２（図３６及び図３７参照）を有する操作釦９１０と、操作釦９１０を支持する釦支持装置９２０とを備えている。
【０００４】
釦支持装置９２０は、図３６及び図３７に示すように、操作釦９１０が挿入される釦挿入穴９２２が形成されるとともに、操作釦９１０の軸９１１が挿入される溝９２３ａが形成されるリブ９２３と、操作釦９１０の軸９１２が挿入される溝９２４ａが形成されるリブ９２４とを有するパネル部材９２１を備えている。
【０００５】
また、釦支持装置９２０は、操作釦９１０に設けられた突起部９１３が支点になるように操作釦９１０が載置される釦載置部９２６と、パネル部材９２１のリブ９２３とともに操作釦９１０の軸９１１を回転可能に挟持する軸挟持部９２７と、パネル部材９２１のリブ９２４とともに操作釦９１０の軸９１２を回転可能に挟持する軸挟持部９２８とを有する軸支持部材９２５を備えている。
【０００６】
即ち、パネル部材９２１のリブ９２３及びリブ９２４と、軸支持部材９２５の軸挟持部９２７及び軸挟持部９２８とは、操作釦９１０がパネル部材９２１の釦挿入穴９２２に挿入されるとき、操作釦９１０の矢印９１０ａで示す押圧方向に略平行である方向に操作釦９１０の軸９１１及び軸９１２の移動を規制しながら、操作釦９１０の軸９１１及び軸９１２を支持している。
【０００７】
また、釦支持装置９２０は、図示していないビスによって軸支持部材９２５に取り付けられた基板９３０と、操作釦９１０に設けられた突起部９１４と対向するように基板９３０に設置されたスイッチ９４１と、操作釦９１０に設けられた突起部９１５と対向するように基板９３０に設置されたスイッチ９４２とを備えている。
【０００８】
なお、軸支持部材９２５は、スイッチ９４１が挿入されるスイッチ挿入穴９２０ａと、スイッチ９４２が挿入されるスイッチ挿入穴９２０ｂとが形成されている。
【０００９】
そして、車載用音響機器９００は、操作者による操作釦９１０の押圧によってスイッチ９４１或いはスイッチ９４２が押圧される。
【００１０】
例えば操作釦９１０が図３７（ａ）に示す状態であるとき、操作者によって操作釦９１０のうち例えば範囲９１０ｂ（図３４参照）の部分が矢印９１０ａで示す方向に押圧されると、操作釦９１０が軸９１１及び軸９１２（図３６参照）を中心に矢印９１０ｃで示す方向に回転し、図３７（ｂ）に示すようにスイッチ９４１が操作釦９１０の突起部９１４によって押圧される。
【００１１】
また、図３５において、車載用音響機器９５０は、同一直線上に延在する軸９６１及び軸９６２（図３８及び図３９参照）を有する操作釦９６０と、操作釦９６０を支持する釦支持装置９７０とを備えている。
【００１２】
釦支持装置９７０は、図３８及び図３９に示すように、操作釦９６０が挿入される釦挿入穴９７２が形成されるとともに、操作釦９６０の軸９６１が挿入される溝９７３ａが形成されるリブ９７３と、操作釦９６０の軸９６２が挿入される溝９７４ａが形成されるリブ９７４とを有するパネル部材９７１を備えている。
【００１３】
また、釦支持装置９７０は、操作釦９６０に設けられた突起部９６３が支点になるように操作釦９６０が載置される釦載置部９７６と、パネル部材９７１のリブ９７３とともに操作釦９６０の軸９６１を回転及び移動可能に案内する軸案内部９７７と、パネル部材９７１のリブ９７４とともに操作釦９６０の軸９６２を回転及び移動可能に案内する軸案内部９７８とを有する軸支持部材９７５を備えている。
【００１４】
即ち、パネル部材９７１のリブ９７３及びリブ９７４と、軸支持部材９７５の軸案内部９７７及び軸案内部９７８とは、操作釦９６０がパネル部材９７１の釦挿入穴９７２に挿入されるとき、操作釦９６０の軸９６１及び軸９６２が操作釦９６０の矢印９６０ａで示す押圧方向に略平行である方向に移動可能であるように、操作釦９６０の軸９６１及び軸９６２を支持している。
【００１５】
また、釦支持装置９７０は、図示していないビスによって軸支持部材９７５に取り付けられた基板９８０と、操作釦９６０に設けられた突起部９６４と対向するように基板９８０に設置されたスイッチ９９１と、操作釦９６０に設けられた突起部９６５と対向するように基板９８０に設置されたスイッチ９９２と、操作釦９６０に設けられた突起部９６６と対向するように基板９８０に設置されたスイッチ９９３と、操作釦９６０に設けられた突起部９６７と対向するように基板９８０に設置されたスイッチ９９４とを備えている。
【００１６】
なお、軸支持部材９７５は、スイッチ９９１が挿入されるスイッチ挿入穴９７０ａと、スイッチ９９２が挿入されるスイッチ挿入穴９７０ｂと、スイッチ９９３が挿入されるスイッチ挿入穴９７０ｃと、スイッチ９９４が挿入されるスイッチ挿入穴９７０ｄとが形成されている。
【００１７】
そして、車載用音響機器９５０は、操作者による操作釦９６０の押圧によってスイッチ９９１、スイッチ９９２、スイッチ９９３或いはスイッチ９９４が押圧される。
【００１８】
例えば操作釦９６０が図３８（ａ）に示す状態であるとき、操作者によって操作釦９６０のうち例えば範囲９６０ｂ（図３５参照）の部分が矢印９６０ａで示す方向に押圧されると、操作釦９６０が突起部９６３を支点として矢印９６０ｃで示す方向に回転し、図３８（ｂ）に示すようにスイッチ９９３が操作釦９６０の突起部９６６によって押圧される。
【００１９】
また、操作釦９６０が図３９（ａ）に示す状態であるとき、操作者によって操作釦９６０のうち例えば範囲９６０ｄ（図３５参照）の部分が矢印９６０ａで示す方向に押圧されると、操作釦９６０が軸９６１及び軸９６２（図３８参照）を中心に矢印９６０ｅで示す方向に回転し、図３９（ｂ）に示すようにスイッチ９９２が操作釦９６０の突起部９６５によって押圧される。
【００２０】
【発明が解決しようとする課題】
しかしながら、上記従来の釦支持装置においては、パネル部材及び軸支持部材が、操作釦によって押圧されるスイッチの個数に応じた形状に作り分けられなければならないという問題があった。
【００２１】
例えば、図３４から図３９までに示すように、操作釦９１０がスイッチ９４１及びスイッチ９４２という２つのスイッチを押圧する車載用音響機器９００の釦支持装置９２０のパネル部材９２１及び軸支持部材９２５と、操作釦９６０がスイッチ９９１、スイッチ９９２、スイッチ９９３及びスイッチ９９４という４つのスイッチを押圧する車載用音響機器９５０の釦支持装置９７０のパネル部材９７１及び軸支持部材９７５とは、別々の形状に作り分けられなければならなかった。
【００２２】
そこで、本発明は、操作釦によって押圧されるスイッチの個数が互いに異なる複数種類の電子機器を製造するときに、パネル部材及び軸支持部材の少なくとも一方を共通化することができる釦支持装置を提供することを目的とする。
【００２３】
【課題を解決するための手段】
上記課題を解決するために、本発明の釦支持装置は、第１の軸を有する第１の操作釦及び前記第１の軸より短い第２の軸を有する第２の操作釦の何れか一方が挿入される釦挿入穴が形成されるパネル部材と、前記パネル部材とともに前記第１の軸及び前記第２の軸の何れか一方を支持することが可能な軸支持部材とを備え、前記パネル部材及び前記軸支持部材の少なくとも一方は、前記第１の操作釦が前記釦挿入穴に挿入されるとき、前記第１の操作釦の押圧方向に略平行である方向に前記第１の軸の移動を規制しながら、前記第１の軸を支持する第一支持部と、前記釦挿入穴の中心に対して前記第一支持部より近くに配置され、前記第２の操作釦が前記釦挿入穴に挿入されるとき、前記第２の軸が前記第２の操作釦の押圧方向に略平行である方向に移動可能であるように、前記第２の軸を支持する第二支持部とを有する構成を有している。
【００２４】
この構成により、本発明の釦支持装置は、釦挿入穴の中心から第一支持部及び第二支持部までの距離が異なるので、パネル部材及び軸支持部材を操作釦によって押圧されるスイッチの個数に対応させて作り分けなくても、操作釦の軸の長さが異なるように操作釦を作り分けるだけで、操作釦によって押圧されるスイッチの個数が互いに異なる複数種類の電子機器を製造することができる。即ち、操作釦によって押圧されるスイッチの個数が互いに異なる複数種類の電子機器を製造するときに、パネル部材及び軸支持部材の少なくとも一方を共通化することができる。
【００２５】
また、本発明の釦支持装置は、前記第一支持部に支持されるときの前記第１の軸の延在方向と、前記第二支持部に支持されるときの前記第２の軸の延在方向とは、略同一線上である構成を有している。
【００２６】
この構成により、本発明の釦支持装置は、第一支持部に支持されるときの第１の軸の延在方向と、第二支持部に支持されるときの第２の軸の延在方向とが、互いにずれている場合と比較して、第一支持部又は第二支持部に支持されるときの操作釦の軸の延在方向に略直交する方向に小型化することができる。
【００２７】
また、本発明の釦支持装置は、前記第一支持部は、前記第１の軸を支持するとき、前記第１の操作釦の押圧方向に略直交する方向に前記第１の軸の移動を規制せず、前記第二支持部は、前記第１の軸が前記第一支持部に支持されるとき、前記第１の操作釦の押圧方向に略直交する方向に前記第１の軸の移動を規制しながら、前記第１の軸に係合する構成を有している。
【００２８】
この構成により、本発明の釦支持装置は、第一支持部が、第１の操作釦の押圧方向と略直交する方向に第１の軸の移動を規制しながら、第１の軸を支持する場合と比較して、第一支持部の形状を簡単にすることができる。
【００２９】
また、本発明の釦支持装置は、軸を有する操作釦が挿入される釦挿入穴が形成されるパネル部材と、前記パネル部材とともに前記軸を支持することが可能な軸支持部材とを備え、前記パネル部材及び前記軸支持部材の少なくとも一方は、前記操作釦の押圧方向に略平行である方向に前記軸の移動を規制しながら、前記軸を支持する第一支持部と、前記軸が前記操作釦の押圧方向に略平行である方向に移動可能であるように、前記軸を支持する第二支持部とを有し、前記第一支持部及び前記第二支持部の何れか一方が前記軸を支持し、前記第一支持部及び前記第二支持部のうち前記第一支持部に支持されるときの前記軸の延在方向と、前記第二支持部に支持されるときの前記軸の延在方向とが異なる構成を有している。
【００３０】
この構成により、本発明の釦支持装置は、第一支持部に支持されるときの操作釦の軸の延在方向と、第二支持部に支持されるときの操作釦の軸の延在方向とが異なるので、パネル部材及び軸支持部材を操作釦によって押圧されるスイッチの個数に対応させて作り分けなくても、パネル部材及び軸支持部材に対する操作釦の取り付け方向が変更されるだけで、操作釦によって押圧されるスイッチの個数が互いに異なる複数種類の電子機器を製造することができる。即ち、操作釦によって押圧されるスイッチの個数が互いに異なる複数種類の電子機器を製造するときに、パネル部材及び軸支持部材の少なくとも一方を共通化することができる。
【００３１】
また、本発明の釦支持装置は、前記第一支持部に支持されるときの前記軸の延在方向と、前記第二支持部に支持されるときの前記軸の延在方向とが略直交する構成を有している。
【００３２】
この構成により、本発明の釦支持装置は、操作釦によって押圧されるスイッチの個数が２つのときのスイッチの配置の一部と、操作釦によって押圧されるスイッチの個数が４つのときのスイッチの配置の一部とを少なくとも共通化することができる。
【００３３】
また、本発明の釦支持装置は、第１の軸を有する第１の操作釦及び前記第１の軸より細い第２の軸を有する第２の操作釦の何れか一方が挿入される釦挿入穴が形成されるパネル部材と、前記パネル部材とともに前記第１の軸及び前記第２の軸の何れか一方を支持することが可能な軸支持部材とを備え、前記パネル部材及び前記軸支持部材の少なくとも一方は、前記第１の操作釦が前記釦挿入穴に挿入されるとき、前記第１の操作釦の押圧方向に略平行である方向に前記第１の軸の移動を規制しながら、前記第１の軸を支持し、前記第２の操作釦が前記釦挿入穴に挿入されるとき、前記第２の軸を支持する支持部を有し、前記支持部は、前記釦挿入穴に挿入されるときの前記第１の操作釦の押圧方向に略平行である方向に溝が形成され、前記溝の幅が前記第１の軸の外径より小さく、前記第２の軸の外径以上である構成を有している。
【００３４】
この構成により、本発明の釦支持装置は、支持部に、幅が第１の軸の外径より小さく、第２の軸の外径以上である溝が形成されているので、パネル部材及び軸支持部材を操作釦によって押圧されるスイッチの個数に対応させて作り分けなくても、操作釦の軸の太さが異なるように操作釦を作り分けるだけで、操作釦によって押圧されるスイッチの個数が互いに異なる複数種類の電子機器を製造することができる。即ち、操作釦によって押圧されるスイッチの個数が互いに異なる複数種類の電子機器を製造するときに、パネル部材及び軸支持部材の少なくとも一方を共通化することができる。
【００３５】
【発明の実施の形態】
以下、本発明の実施の形態について、図面を用いて説明する。
【００３６】
（第１の実施の形態）
【００３７】
まず、第１の実施の形態に係る釦支持装置の構成について説明する。
【００３８】
図１から図４までに示す本実施の形態に係る釦支持装置２１０は、同一直線上に延在する第１の軸としての軸１１１及び軸１１２を有する第１の操作釦としての操作釦１１０（図５参照）と、同一直線上に延在し、操作釦１１０の軸１１１及び軸１１２より短い第２の軸としての軸１２１及び軸１２２を有する第２の操作釦としての操作釦１２０（図６参照）との何れか一方が挿入される釦挿入穴２２１が形成されるパネル部材２２０（図７参照）を備えている。
【００３９】
そして、釦支持装置２１０は、図８に示すように、操作釦１１０とともに車載用音響機器２０１の少なくとも一部を構成するようになっている。ここで、車載用音響機器２０１は、操作釦１１０の他に、音量調節などの音響関係の各種操作が操作者によって行われる釦やツマミなどの操作入力部２０２と、車内の空調関係の各種操作が操作者によって行われる釦やツマミなどの操作入力部２０３と、音響機器や空調機器に関する情報が表示される表示部２０４と、図示していない空調機器からの空気が排出される排気部２０５とを備えている。
【００４０】
また、釦支持装置２１０は、図９に示すように、操作釦１２０とともに車載用音響機器２０６の少なくとも一部を構成するようになっている。ここで、車載用音響機器２０６は、車載用音響機器２０１（図８参照）と同様に、操作入力部２０２、操作入力部２０３、表示部２０４及び排気部２０５を備えている。
【００４１】
なお、パネル部材２２０は、図１及び図２に示すように、操作釦１１０の軸１１１が挿入される溝２２２ａが形成されるリブ２２２（図１０参照）と、操作釦１１０の軸１１２が挿入される溝２２３ａが形成されるリブ２２３（図１０参照）とを有しており、図３及び図４に示すように、釦挿入穴２２１の中心に対してリブ２２２より近くに配置され、操作釦１２０の軸１２１が挿入される溝２２４ａが形成されるリブ２２４（図１１参照）と、釦挿入穴２２１の中心に対してリブ２２３より近くに配置され、操作釦１２０の軸１２２が挿入される溝２２５ａが形成されるリブ２２５（図１１参照）とを有している。
【００４２】
また、釦支持装置２１０は、図１に示すように操作釦１１０に設けられた突起部１１３が支点になるように操作釦１１０が載置され、図３に示すように操作釦１２０に設けられた突起部１２３が支点になるように操作釦１２０が載置される釦載置部２３１と、図１及び図２に示すように、パネル部材２２０のリブ２２２とともに操作釦１１０の軸１１１を回転可能に挟持する軸挟持部２３２と、パネル部材２２０のリブ２２３とともに操作釦１１０の軸１１２を回転可能に挟持する軸挟持部２３３とを有する軸支持部材２３０を備えている。
【００４３】
即ち、パネル部材２２０のリブ２２２及びリブ２２３と、軸支持部材２３０の軸挟持部２３２及び軸挟持部２３３とは、操作釦１１０がパネル部材２２０の釦挿入穴２２１に挿入されるとき、操作釦１１０の矢印１００ａで示す押圧方向に略平行である方向に操作釦１１０の軸１１１及び軸１１２の移動を規制しながら、操作釦１１０の軸１１１及び軸１１２を支持する第一支持部を構成している。
【００４４】
また、軸支持部材２３０は、図３及び図４に示すように、パネル部材２２０の釦挿入穴２２１の中心に対して軸挟持部２３２より近くに配置され、パネル部材２２０のリブ２２４とともに操作釦１２０の軸１２１を回転及び移動可能に案内する軸案内部２３４と、パネル部材２２０の釦挿入穴２２１の中心に対して軸挟持部２３３より近くに配置され、パネル部材２２０のリブ２２５とともに操作釦１２０の軸１２２を回転及び移動可能に案内する軸案内部２３５とを有している。
【００４５】
即ち、パネル部材２２０のリブ２２４及びリブ２２５と、軸支持部材２３０の軸案内部２３４及び軸案内部２３５とは、操作釦１２０がパネル部材２２０の釦挿入穴２２１に挿入されるとき、操作釦１２０の軸１２１及び軸１２２が矢印１００ａで示す方向に略平行である方向に移動可能であるように、操作釦１２０の軸１２１及び軸１２２を支持する第二支持部を構成している。
【００４６】
ここで、パネル部材２２０のリブ２２２、リブ２２３、リブ２２４及びリブ２２５と、軸支持部材２３０の軸挟持部２３２、軸挟持部２３３、軸案内部２３４及び軸案内部２３５とは、図１０及び図１１に示すように、パネル部材２２０及び軸支持部材２３０に支持されるときの操作釦１１０の軸１１１及び軸１１２の延在方向が、パネル部材２２０及び軸支持部材２３０に支持されるときの操作釦１２０の軸１２１及び軸１２２の延在方向と略同一線上になるように配置されている。
【００４７】
したがって、図１０に示すように、操作釦１１０の軸１１１がリブ２２２の溝２２２ａに挿入されており、操作釦１１０の軸１１２がリブ２２３の溝２２３ａに挿入されているとき、操作釦１１０の軸１１１はリブ２２４の溝２２４ａに挿入され、操作釦１１０の軸１１２はリブ２２５の溝２２５ａに挿入されるようになっている。
【００４８】
なお、図１１に示すように、操作釦１２０の中心から軸１２１の先端までの距離は、パネル部材２２０の釦挿入穴２２１の中心からリブ２２２の溝２２２ａまでの距離より短くなっており、操作釦１２０の中心から軸１２２の先端までの距離は、パネル部材２２０の釦挿入穴２２１の中心からリブ２２３の溝２２３ａまでの距離より短くなっているので、操作釦１２０の軸１２１がリブ２２４の溝２２４ａに挿入されており、操作釦１２０の軸１２２がリブ２２５の溝２２５ａに挿入されているとき、操作釦１２０の軸１２１はリブ２２２の溝２２２ａに挿入されることがなく、操作釦１２０の軸１２２はリブ２２３の溝２２３ａに挿入されることがないようになっている。
【００４９】
また、釦支持装置２１０は、図１から図４までに示すように、図示していないビスによって軸支持部材２３０に取り付けられた基板２４０と、操作釦１１０に設けられた突起部１１４や、操作釦１２０に設けられた突起部１２４と対向するように基板２４０に設置されたスイッチ２５１と、操作釦１１０に設けられた突起部１１５や、操作釦１２０に設けられた突起部１２５と対向するように基板２４０に設置されたスイッチ２５２と、操作釦１２０に設けられた突起部１２６と対向するように基板２４０に設置されたスイッチ２５３と、操作釦１２０に設けられた突起部１２７と対向するように基板２４０に設置されたスイッチ２５４とを備えている。
【００５０】
なお、釦支持装置２１０は、操作釦１１０とともに車載用音響機器２０１（図８参照）の少なくとも一部を構成するとき、図１に示すように、スイッチ２５３（図３参照）及びスイッチ２５４（図３参照）を備えていなくても良い。
【００５１】
また、軸支持部材２３０は、スイッチ２５１が挿入されるスイッチ挿入穴２３０ａと、スイッチ２５２が挿入されるスイッチ挿入穴２３０ｂと、スイッチ２５３が挿入されるスイッチ挿入穴２３０ｃと、スイッチ２５４が挿入されるスイッチ挿入穴２３０ｄとが形成されている。
【００５２】
次に、本実施の形態に係る釦支持装置の動作について説明する。
【００５３】
釦支持装置２１０が、操作釦１１０とともに車載用音響機器２０１（図８参照）の少なくとも一部を構成するとき、車載用音響機器２０１は、操作者による操作釦１１０の押圧によってスイッチ２５１或いはスイッチ２５２が押圧される。
【００５４】
例えば操作釦１１０が図２（ａ）に示す状態であるとき、操作者によって操作釦１１０のうち例えば範囲１１０ａ（図１０参照）の部分が矢印１００ａで示す方向に押圧されると、操作釦１１０が軸１１１及び軸１１２（図１参照）を中心に矢印１１０ｂで示す方向に回転し、図２（ｂ）に示すようにスイッチ２５１が操作釦１１０の突起部１１４によって押圧される。
【００５５】
また、釦支持装置２１０が、操作釦１２０とともに車載用音響機器２０６（図９参照）の少なくとも一部を構成するとき、車載用音響機器２０６は、操作者による操作釦１２０の押圧によってスイッチ２５１、スイッチ２５２、スイッチ２５３或いはスイッチ２５４が押圧される。
【００５６】
例えば操作釦１２０が図３（ａ）に示す状態であるとき、操作者によって操作釦１２０のうち例えば範囲１２０ａ（図１１参照）の部分が矢印１００ａで示す方向に押圧されると、操作釦１２０が突起部１２３を支点として矢印１２０ｂで示す方向に回転し、図３（ｂ）に示すようにスイッチ２５３が操作釦１２０の突起部１２６によって押圧される。
【００５７】
また、操作釦１２０が図４（ａ）に示す状態であるとき、操作者によって操作釦１２０のうち例えば範囲１２０ｃ（図１１参照）の部分が矢印１００ａで示す方向に押圧されると、操作釦１２０が軸１２１及び軸１２２（図３参照）を中心に矢印１２０ｄで示す方向に回転し、図４（ｂ）に示すようにスイッチ２５２が操作釦１２０の突起部１２５によって押圧される。
【００５８】
以上において説明したように、釦支持装置２１０は、釦挿入穴２２１の中心からパネル部材２２０のリブ２２２及びリブ２２３までの距離と、釦挿入穴２２１の中心からパネル部材２２０のリブ２２４及びリブ２２５までの距離とが異なるので、スイッチの個数に対応させてパネル部材２２０及び軸支持部材２３０を作り分けなくても、軸１１１及び軸１１２の長さと、軸１２１及び軸１２２の長さとが異なるように操作釦１１０及び操作釦１２０を作り分けるだけで、操作釦１１０及び操作釦１２０によって押圧されるスイッチの個数が互いに異なる車載用音響機器２０１及び車載用音響機器２０６を製造することができる。
【００５９】
即ち、操作釦１１０及び操作釦１２０によって押圧されるスイッチの個数が互いに異なる車載用音響機器２０１及び車載用音響機器２０６を製造するときに、パネル部材２２０及び軸支持部材２３０を共通化することができる。
【００６０】
なお、釦支持装置２１０は、本実施の形態において、車載用音響機器２０１及び車載用音響機器２０６を製造するときに、パネル部材２２０及び軸支持部材２３０の双方を共通化することができる構成であったが、本発明によれば、パネル部材２２０及び軸支持部材２３０の少なくとも一方を共通化することができる構成であっても良い。
【００６１】
例えば、車載用音響機器２０１及び車載用音響機器２０６を製造するときに、パネル部材２２０を共通化して、軸支持部材については車載用音響機器２０１と車載用音響機器２０６とで異なる形状のものを使用するようにしても良い。
【００６２】
釦支持装置２１０は、車載用音響機器２０１及び車載用音響機器２０６を製造するときに、操作釦１１０や操作釦１２０と比較して大きいパネル部材２２０及び軸支持部材２３０の少なくとも一方を共通化することができる構成であれば、パネル部材２２０及び軸支持部材２３０が金型によって成型される場合、従来の釦支持装置と比較して金型の製作費を低くすることができるので、従来の釦支持装置と比較して、車載用音響機器２０１及び車載用音響機器２０６などの複数種類の電子機器を低コストで製造することができる。
【００６３】
なお、操作釦１２０は、操作釦１１０の軸１１１及び軸１１２がレーザ切断等の２次加工により、軸１１１及び軸１１２から軸１２１及び軸１２２が形成されることによって、操作釦１１０から製造されるようにしても良い。
【００６４】
また、釦支持装置２１０は、上述したように、パネル部材２２０及び軸支持部材２３０に支持されるときの操作釦１１０の軸１１１及び軸１１２の延在方向が、パネル部材２２０及び軸支持部材２３０に支持されるときの操作釦１２０の軸１２１及び軸１２２の延在方向と略同一線上になるので、パネル部材２２０及び軸支持部材２３０に支持されるときの操作釦１１０の軸１１１及び軸１１２の延在方向が、パネル部材２２０及び軸支持部材２３０に支持されるときの操作釦１２０の軸１２１及び軸１２２の延在方向とずれている場合と比較して、パネル部材２２０及び軸支持部材２３０に支持されるときの操作釦１１０の軸１１１及び軸１１２や、パネル部材２２０及び軸支持部材２３０に支持されるときの操作釦１２０の軸１２１及び軸１２２の延在方向に略直交する矢印２１０ａ（図１０及び図１１参照）で示す方向に小型化することができる。
【００６５】
なお、釦支持装置２１０は、本実施の形態において、パネル部材２２０及び軸支持部材２３０に支持されるときの操作釦１１０の軸１１１及び軸１１２の延在方向が、パネル部材２２０及び軸支持部材２３０に支持されるときの操作釦１２０の軸１２１及び軸１２２の延在方向と略同一線上になる構成であったが、本発明によれば、パネル部材２２０及び軸支持部材２３０に支持されるときの操作釦１１０の軸１１１及び軸１１２の延在方向が、パネル部材２２０及び軸支持部材２３０に支持されるときの操作釦１２０の軸１２１及び軸１２２の延在方向とずれている構成であっても良い。
【００６６】
（第２の実施の形態）
【００６７】
まず、第２の実施の形態に係る釦支持装置の構成について説明する。
【００６８】
なお、本実施の形態に係る釦支持装置の構成は、以下に述べる構成を除いて第１の実施の形態に係る釦支持装置の構成とほぼ同様であるので、本実施の形態に係る釦支持装置の構成のうち第１の実施の形態に係る釦支持装置の構成とほぼ同様な構成については、第１の実施の形態に係る釦支持装置の構成と同一の符号を付して詳細な説明を省略する。
【００６９】
図１２及び図１３に示す本実施の形態に係る釦支持装置３１０は、釦挿入穴２２１が形成されるパネル部材３２０（図１４参照）と、基板２４０と、スイッチ２５１、スイッチ２５２、スイッチ２５３（図３参照）及びスイッチ２５４（図３参照）とを備えている。
【００７０】
また、釦支持装置３１０は、操作釦１１０に設けられた突起部１１３が支点になるように操作釦１１０が載置される釦載置部２３１と、軸挟持部２３２、軸挟持部２３３、軸案内部２３４及び軸案内部２３５とを有し、スイッチ挿入穴２３０ａ、スイッチ挿入穴２３０ｂ、スイッチ挿入穴２３０ｃ及びスイッチ挿入穴２３０ｄが形成される軸支持部材２３０を備えている。
【００７１】
そして、釦支持装置３１０は、操作釦１１０とともに第１の実施の形態に係る車載用音響機器２０１（図８参照）と同様な車載用音響機器の少なくとも一部を構成するようになっている。また、釦支持装置３１０は、操作釦１２０（図６参照）とともに第１の実施の形態に係る車載用音響機器２０６（図９参照）と同様な車載用音響機器の少なくとも一部を構成するようになっている。
【００７２】
なお、釦支持装置３１０は、操作釦１１０とともに第１の実施の形態に係る車載用音響機器２０１（図８参照）と同様な車載用音響機器の少なくとも一部を構成するとき、図１２に示すように、スイッチ２５３（図３参照）及びスイッチ２５４（図３参照）を備えていなくても良い。
【００７３】
また、パネル部材３２０は、操作釦１１０の軸１１１と係合するリブ３２２（図１５参照）と、操作釦１１０の軸１１２と係合するリブ３２３（図１５参照）とを有しており、釦挿入穴２２１の中心に対してリブ３２２より近くに配置され、溝２２４ａが形成されるリブ２２４（図１４参照）と、釦挿入穴２２１の中心に対してリブ３２３より近くに配置され、溝２２５ａが形成されるリブ２２５（図１４参照）とを有している。
【００７４】
即ち、パネル部材３２０のリブ３２２及びリブ３２３と、軸支持部材２３０の軸挟持部２３２及び軸挟持部２３３とは、操作釦１１０がパネル部材３２０の釦挿入穴２２１に挿入されるとき、操作釦１１０の矢印１００ａで示す押圧方向に略直交する矢印３１０ａ（図１５参照）で示す方向に操作釦１１０の軸１１１及び軸１１２の移動を規制せず、矢印１００ａで示す方向に略平行である方向に操作釦１１０の軸１１１及び軸１１２の移動を規制しながら、操作釦１１０の軸１１１及び軸１１２を支持する第一支持部を構成している。
【００７５】
ここで、パネル部材３２０のリブ３２２、リブ３２３、リブ２２４及びリブ２２５と、軸支持部材２３０の軸挟持部２３２、軸挟持部２３３、軸案内部２３４及び軸案内部２３５とは、図１５に示すように、パネル部材３２０及び軸支持部材２３０に支持されるときの操作釦１１０の軸１１１及び軸１１２の延在方向が、パネル部材３２０のリブ２２４及びリブ２２５と、軸支持部材２３０の軸案内部２３４及び軸案内部２３５とに支持されるときの図６に示す操作釦１２０の軸１２１及び軸１２２の延在方向と略同一線上になるように配置されている。
【００７６】
したがって、図１５に示すように、操作釦１１０の軸１１１がリブ２２４の溝２２４ａに挿入されており、操作釦１１０の軸１１２がリブ２２５の溝２２５ａに挿入されているとき、操作釦１１０の軸１１１はリブ３２２に係合し、操作釦１１０の軸１１２はリブ３２３に係合するようになっている。
【００７７】
つまり、パネル部材３２０のリブ２２４及びリブ２２５は、操作釦１１０の軸１１１及び軸１１２がパネル部材３２０のリブ３２２及びリブ３２３と、軸支持部材２３０の軸挟持部２３２及び軸挟持部２３３とに支持されるとき、矢印３１０ａで示す方向に操作釦１１０の軸１１１及び軸１１２の移動を規制しながら、操作釦１１０の軸１１１及び軸１１２に係合するようになっている。
【００７８】
次に、本実施の形態に係る釦支持装置の動作について説明する。
【００７９】
釦支持装置３１０が、操作釦１１０とともに第１の実施の形態に係る車載用音響機器２０１（図８参照）と同様な車載用音響機器の少なくとも一部を構成するとき、車載用音響機器は、操作者による操作釦１１０の押圧によってスイッチ２５１或いはスイッチ２５２が押圧される。
【００８０】
例えば操作釦１１０が図１３（ａ）に示す状態であるとき、操作者によって操作釦１１０のうち例えば範囲１１０ｃ（図１５参照）の部分が矢印１００ａで示す方向に押圧されると、操作釦１１０が軸１１１及び軸１１２（図１２参照）を中心に矢印１１０ｄで示す方向に回転し、図１３（ｂ）に示すようにスイッチ２５２が操作釦１１０の突起部１１５によって押圧される。
【００８１】
なお、釦支持装置３１０が、操作釦１２０（図６参照）とともに第１の実施の形態に係る車載用音響機器２０６（図９参照）と同様な車載用音響機器の少なくとも一部を構成するときの動作は、第１の実施の形態に係る釦支持装置２１０（図３及び図４参照）と同様であるので説明を省略する。
【００８２】
以上において説明したように、釦支持装置３１０は、釦挿入穴２２１の中心からパネル部材３２０のリブ３２２及びリブ３２３までの距離と、釦挿入穴２２１の中心からパネル部材３２０のリブ２２４及びリブ２２５までの距離とが異なるので、スイッチの個数に対応させてパネル部材３２０及び軸支持部材２３０を作り分けなくても、軸１１１及び軸１１２の長さと、軸１２１及び軸１２２の長さとが異なるように操作釦１１０及び操作釦１２０を作り分けるだけで、操作釦１１０及び操作釦１２０によって押圧されるスイッチの個数が互いに異なる複数種類の車載用音響機器を製造することができる。
【００８３】
即ち、操作釦１１０及び操作釦１２０によって押圧されるスイッチの個数が互いに異なる複数種類の車載用音響機器を製造するときに、パネル部材３２０及び軸支持部材２３０を共通化することができる。
【００８４】
なお、釦支持装置３１０は、本実施の形態において、複数種類の車載用音響機器を製造するときに、パネル部材３２０及び軸支持部材２３０の双方を共通化することができる構成であったが、本発明によれば、パネル部材３２０及び軸支持部材２３０の少なくとも一方を共通化することができる構成であっても良い。
【００８５】
例えば、複数種類の車載用音響機器を製造するときに、パネル部材３２０を共通化して、軸支持部材については複数種類の車載用音響機器で異なる形状のものを使用するようにしても良い。
【００８６】
釦支持装置３１０は、複数種類の車載用音響機器を製造するときに、操作釦１１０や操作釦１２０と比較して大きいパネル部材３２０及び軸支持部材２３０の少なくとも一方を共通化することができる構成であれば、パネル部材３２０及び軸支持部材２３０が金型によって成型される場合、従来の釦支持装置と比較して金型の製作費を低くすることができるので、従来の釦支持装置と比較して、複数種類の車載用音響機器を低コストで製造することができる。
【００８７】
また、釦支持装置３１０は、上述したように、パネル部材３２０及び軸支持部材２３０に支持されるときの操作釦１１０の軸１１１及び軸１１２の延在方向が、パネル部材３２０及び軸支持部材２３０に支持されるときの操作釦１２０の軸１２１及び軸１２２の延在方向と略同一線上になるので、パネル部材３２０及び軸支持部材２３０に支持されるときの操作釦１１０の軸１１１及び軸１１２の延在方向が、パネル部材３２０及び軸支持部材２３０に支持されるときの操作釦１２０の軸１２１及び軸１２２の延在方向とずれている場合と比較して、パネル部材３２０及び軸支持部材２３０に支持されるときの操作釦１１０の軸１１１及び軸１１２や、パネル部材３２０及び軸支持部材２３０に支持されるときの操作釦１２０の軸１２１及び軸１２２の延在方向に略直交する矢印３１０ａ（図１５参照）で示す方向に小型化することができる。
【００８８】
また、釦支持装置３１０は、上述したように、パネル部材３２０のリブ３２２及びリブ３２３が、矢印３１０ａ（図１５参照）で示す方向に操作釦１１０の軸１１１及び軸１１２の移動を規制せずに、操作釦１１０の軸１１１及び軸１１２を支持するので、図１及び図２に示す第１の実施の形態に係る釦支持装置２１０のように、パネル部材２２０のリブ２２２及びリブ２２３が、矢印２１０ａ（図１０参照）で示す方向に操作釦１１０の軸１１１及び軸１１２の移動を規制しながら、操作釦１１０の軸１１１及び軸１１２を支持する場合と比較して、図１２及び図１３に示すようにパネル部材３２０のリブ３２２及びリブ３２３の形状を簡単にすることができる。
【００８９】
（第３の実施の形態）
【００９０】
まず、第３の実施の形態に係る釦支持装置の構成について説明する。
【００９１】
図１６から図１９までに示す本実施の形態に係る釦支持装置４１０は、同一直線上に延在する軸１３１及び軸１３２を有する操作釦１３０（図２０参照）と、同一直線上に延在する軸１４１及び軸１４２を有する操作釦１４０（図２１参照）との何れか一方が挿入される釦挿入穴４２１が形成されるパネル部材４２０（図２２参照）を備えている。
【００９２】
なお、操作釦１３０及び操作釦１４０は、操作面の表示１３０ａ（図２０参照）及び表示１４０ａ（図２１参照）が異なるだけで、互いに同じ形状及び大きさである。
【００９３】
そして、釦支持装置４１０は、操作釦１３０とともに第１の実施の形態に係る車載用音響機器２０１（図８参照）と同様な車載用音響機器の少なくとも一部を構成するようになっている。また、釦支持装置４１０は、操作釦１４０とともに第１の実施の形態に係る車載用音響機器２０６（図９参照）と同様な車載用音響機器の少なくとも一部を構成するようになっている。
【００９４】
なお、パネル部材４２０は、図１６及び図１７に示すように、操作釦１３０の軸１３１が挿入される溝４２２ａが形成されるリブ４２２（図２３参照）と、操作釦１３０の軸１３２が挿入される溝４２３ａが形成されるリブ４２３（図２３参照）とを有しており、図１８及び図１９に示すように、操作釦１４０の軸１４１が挿入される溝４２４ａが形成されるリブ４２４（図２４参照）と、操作釦１４０の軸１４２が挿入される溝４２５ａが形成されるリブ４２５（図２４参照）とを有している。
【００９５】
また、釦支持装置４１０は、図１６に示すように操作釦１３０に設けられた突起部１３３が支点になるように操作釦１３０が載置され、図１８に示すように操作釦１４０に設けられた突起部１４３が支点になるように操作釦１４０が載置される釦載置部４３１と、図１６及び図１７に示すように、パネル部材４２０のリブ４２２とともに操作釦１３０の軸１３１を回転可能に挟持する軸挟持部４３２と、パネル部材４２０のリブ４２３とともに操作釦１３０の軸１３２を回転可能に挟持する軸挟持部４３３とを有する軸支持部材４３０を備えている。
【００９６】
即ち、パネル部材４２０のリブ４２２及びリブ４２３と、軸支持部材４３０の軸挟持部４３２及び軸挟持部４３３とは、操作釦１３０がパネル部材４２０の釦挿入穴４２１に挿入されるとき、操作釦１３０の矢印１００ａで示す押圧方向に略平行である方向に操作釦１３０の軸１３１及び軸１３２の移動を規制しながら、操作釦１３０の軸１３１及び軸１３２を支持する第一支持部を構成している。
【００９７】
また、軸支持部材４３０は、図１８及び図１９に示すように、パネル部材４２０のリブ４２４とともに操作釦１４０の軸１４１を回転及び移動可能に案内する軸案内部４３４と、パネル部材４２０のリブ４２５とともに操作釦１４０の軸１４２を回転及び移動可能に案内する軸案内部４３５とを有している。
【００９８】
即ち、パネル部材４２０のリブ４２４及びリブ４２５と、軸支持部材４３０の軸案内部４３４及び軸案内部４３５とは、操作釦１４０がパネル部材４２０の釦挿入穴４２１に挿入されるとき、操作釦１４０の軸１４１及び軸１４２が矢印１００ａで示す方向に略平行である方向に移動可能であるように、操作釦１４０の軸１４１及び軸１４２を支持する第二支持部を構成している。
【００９９】
ここで、パネル部材４２０のリブ４２２、リブ４２３、リブ４２４及びリブ４２５と、軸支持部材４３０の軸挟持部４３２、軸挟持部４３３、軸案内部４３４及び軸案内部４３５とは、図２３及び図２４に示すように、パネル部材４２０及び軸支持部材４３０に支持されるときの操作釦１３０の軸１３１及び軸１３２の延在方向が、パネル部材４２０及び軸支持部材４３０に支持されるときの操作釦１４０の軸１４１及び軸１４２の延在方向と略直交するように配置されている。
【０１００】
また、釦支持装置４１０は、図１６から図１９までに示すように、図示していないビスによって軸支持部材４３０に取り付けられた基板４４０と、操作釦１３０に設けられた突起部１３４や、操作釦１４０に設けられた突起部１４４と対向するように基板４４０に設置されたスイッチ４５１と、操作釦１３０に設けられた突起部１３５や、操作釦１４０に設けられた突起部１４５と対向するように基板４４０に設置されたスイッチ４５２と、操作釦１４０に設けられた突起部１４６と対向するように基板４４０に設置されたスイッチ４５３と、操作釦１４０に設けられた突起部１４７と対向するように基板４４０に設置されたスイッチ４５４とを備えている。
【０１０１】
なお、釦支持装置４１０は、操作釦１３０とともに第１の実施の形態に係る車載用音響機器２０１（図８参照）と同様な車載用音響機器の少なくとも一部を構成するとき、図１６に示すように、スイッチ４５３（図１９参照）及びスイッチ４５４（図１９参照）を備えていなくても良い。
【０１０２】
また、軸支持部材４３０は、スイッチ４５１が挿入されるスイッチ挿入穴４３０ａと、スイッチ４５２が挿入されるスイッチ挿入穴４３０ｂと、スイッチ４５３が挿入されるスイッチ挿入穴４３０ｃと、スイッチ４５４が挿入されるスイッチ挿入穴４３０ｄとが形成されている。
【０１０３】
次に、本実施の形態に係る釦支持装置の動作について説明する。
【０１０４】
釦支持装置４１０が、操作釦１３０とともに第１の実施の形態に係る車載用音響機器２０１（図８参照）と同様な車載用音響機器の少なくとも一部を構成するとき、車載用音響機器は、操作者による操作釦１３０の押圧によってスイッチ４５１或いはスイッチ４５２が押圧される。
【０１０５】
例えば操作釦１３０が図１７（ａ）に示す状態であるとき、操作者によって操作釦１３０のうち例えば範囲１３０ｂ（図２３参照）の部分が矢印１００ａで示す方向に押圧されると、操作釦１３０が軸１３１及び軸１３２（図１６参照）を中心に矢印１３０ｃで示す方向に回転し、図１７（ｂ）に示すようにスイッチ４５１が操作釦１３０の突起部１３４によって押圧される。
【０１０６】
また、釦支持装置４１０が、操作釦１４０とともに第１の実施の形態に係る車載用音響機器２０６（図９参照）と同様な車載用音響機器の少なくとも一部を構成するとき、車載用音響機器は、操作者による操作釦１４０の押圧によってスイッチ４５１、スイッチ４５２、スイッチ４５３或いはスイッチ４５４が押圧される。
【０１０７】
例えば操作釦１４０が図１８（ａ）に示す状態であるとき、操作者によって操作釦１４０のうち例えば範囲１４０ｂ（図２４参照）の部分が矢印１００ａで示す方向に押圧されると、操作釦１４０が突起部１４３を支点として矢印１４０ｃで示す方向に回転し、図１８（ｂ）に示すようにスイッチ４５１が操作釦１４０の突起部１４４によって押圧される。
【０１０８】
また、操作釦１４０が図１９（ａ）に示す状態であるとき、操作者によって操作釦１４０のうち例えば範囲１４０ｄ（図２４参照）の部分が矢印１００ａで示す方向に押圧されると、操作釦１４０が軸１４１及び軸１４２（図１８参照）を中心に矢印１４０ｅで示す方向に回転し、図１９（ｂ）に示すようにスイッチ４５４が操作釦１４０の突起部１４７によって押圧される。
【０１０９】
以上において説明したように、釦支持装置４１０は、パネル部材４２０及び軸支持部材４３０に支持されるときの操作釦１３０の軸１３１及び軸１３２の延在方向と、パネル部材４２０及び軸支持部材４３０に支持されるときの操作釦１４０の軸１４１及び軸１４２の延在方向とが異なるので、スイッチの個数に対応させてパネル部材４２０及び軸支持部材４３０を作り分けなくても、パネル部材４２０及び軸支持部材４３０に対する操作釦１３０及び操作釦１４０の取り付け方向が変更されるだけで、操作釦１３０及び操作釦１４０によって押圧されるスイッチの個数が互いに異なる複数種類の車載用音響機器を製造することができる。
【０１１０】
即ち、操作釦１３０及び操作釦１４０によって押圧されるスイッチの個数が互いに異なる複数種類の車載用音響機器を製造するときに、パネル部材４２０及び軸支持部材４３０を共通化することができる。
【０１１１】
なお、釦支持装置４１０は、本実施の形態において、複数種類の車載用音響機器を製造するときに、パネル部材４２０及び軸支持部材４３０の双方を共通化することができる構成であったが、本発明によれば、パネル部材４２０及び軸支持部材４３０の少なくとも一方を共通化することができる構成であっても良い。
【０１１２】
例えば、複数種類の車載用音響機器を製造するときに、パネル部材４２０を共通化して、軸支持部材については複数種類の車載用音響機器で異なる形状のものを使用するようにしても良い。
【０１１３】
釦支持装置４１０は、複数種類の車載用音響機器を製造するときに、操作釦１３０や操作釦１４０と比較して大きいパネル部材４２０及び軸支持部材４３０の少なくとも一方を共通化することができる構成であれば、パネル部材４２０及び軸支持部材４３０が金型によって成型される場合、従来の釦支持装置と比較して金型の製作費を低くすることができるので、従来の釦支持装置と比較して、複数種類の車載用音響機器を低コストで製造することができる。
【０１１４】
また、釦支持装置４１０は、上述したように、パネル部材４２０及び軸支持部材４３０に支持されるときの操作釦１３０の軸１３１及び軸１３２の延在方向と、パネル部材４２０及び軸支持部材４３０に支持されるときの操作釦１４０の軸１４１及び軸１４２の延在方向とが略直交するので、操作釦によって押圧されるスイッチの個数が２つのときのスイッチの配置の一部と、操作釦によって押圧されるスイッチの個数が４つのときのスイッチの配置の一部とを少なくとも共通化することができる。
【０１１５】
即ち、釦支持装置４１０は、操作釦１３０とともに第１の実施の形態に係る車載用音響機器２０１（図８参照）と同様な車載用音響機器の少なくとも一部を構成するときと、操作釦１４０とともに第１の実施の形態に係る車載用音響機器２０６（図９参照）と同様な車載用音響機器の少なくとも一部を構成するときとで、基板４４０に配置されたスイッチ４５１及びスイッチ４５２を共通化することができる。
【０１１６】
なお、釦支持装置４１０は、本実施の形態において、パネル部材４２０及び軸支持部材４３０に支持されるときの操作釦１３０の軸１３１及び軸１３２の延在方向と、パネル部材４２０及び軸支持部材４３０に支持されるときの操作釦１４０の軸１４１及び軸１４２の延在方向とが略直交する構成であったが、本発明によれば、パネル部材４２０及び軸支持部材４３０に支持されるときの操作釦１３０の軸１３１及び軸１３２の延在方向と、パネル部材４２０及び軸支持部材４３０に支持されるときの操作釦１４０の軸１４１及び軸１４２の延在方向とが鋭角或いは鈍角を成す構成であっても良い。
【０１１７】
（第４の実施の形態）
【０１１８】
まず、第４の実施の形態に係る釦支持装置の構成について説明する。
【０１１９】
図２５から図２８までに示す本実施の形態に係る釦支持装置５１０は、同一直線上に延在する第１の軸としての軸１１１及び軸１１２を有する第１の操作釦としての操作釦１１０と、同一直線上に延在し、操作釦１１０の軸１１１及び軸１１２より細い第２の軸としての軸１５１及び軸１５２を有する第２の操作釦としての操作釦１５０（図２９参照）との何れか一方が挿入される釦挿入穴５２１が形成されるパネル部材５２０（図３０参照）を備えている。
【０１２０】
そして、釦支持装置５１０は、操作釦１１０とともに第１の実施の形態に係る車載用音響機器２０１（図８参照）と同様な車載用音響機器の少なくとも一部を構成するようになっている。また、釦支持装置５１０は、操作釦１５０とともに第１の実施の形態に係る車載用音響機器２０６（図９参照）と同様な車載用音響機器の少なくとも一部を構成するようになっている。
【０１２１】
なお、パネル部材５２０は、操作釦１１０の軸１１１、及び、操作釦１５０の軸１５１が挿入される溝５２２ａと、幅が操作釦１１０の軸１１１の外径より小さく、操作釦１５０の軸１５１の外径以上であり、操作釦１５０の軸１５１が挿入される溝５２２ｂとが形成されるリブ５２２（図３１及び図３２参照）を有している。
【０１２２】
ここで、溝５２２ｂは、溝５２２ａに対して、パネル部材５２０の釦挿入穴５２１に挿入されるときの操作釦１１０及び操作釦１５０の矢印１００ａで示す押圧方向に略平行である方向に形成されている。
【０１２３】
また、パネル部材５２０は、操作釦１１０の軸１１２、及び、操作釦１５０の軸１５２が挿入される溝５２３ａと、溝５２３ａに対して矢印１００ａで示す方向に略平行である方向に形成され、幅が操作釦１１０の軸１１２の外径より小さく、操作釦１５０の軸１５２の外径以上であり、操作釦１５０の軸１５２が挿入される溝５２３ｂとが形成されるリブ５２３（図３１及び図３２参照）を有している。
【０１２４】
また、釦支持装置５１０は、図２５に示すように操作釦１１０に設けられた突起部１１３が支点になるように操作釦１１０が載置され、図２７に示すように操作釦１５０に設けられた突起部１５３が支点になるように操作釦１５０が載置される釦載置部５３１と、図２５から図２８までに示すように、パネル部材５２０のリブ５２２とともに操作釦１１０の軸１１１を回転可能に挟持し、操作釦１５０の軸１５１を回転及び移動可能に案内する挟持案内部５３２と、パネル部材５２０のリブ５２３とともに操作釦１１０の軸１１２を回転可能に挟持し、操作釦１５０の軸１５２を回転及び移動可能に案内する挟持案内部５３３とを有する軸支持部材５３０を備えている。
【０１２５】
即ち、パネル部材５２０のリブ５２２及びリブ５２３と、軸支持部材５３０の挟持案内部５３２及び挟持案内部５３３とは、操作釦１１０がパネル部材５２０の釦挿入穴５２１に挿入されるとき、矢印１００ａで示す方向に略平行である方向に操作釦１１０の軸１１１及び軸１１２の移動を規制しながら、操作釦１１０の軸１１１及び軸１１２を支持し、操作釦１５０がパネル部材５２０の釦挿入穴５２１に挿入されるとき、操作釦１５０の軸１５１及び軸１５２が矢印１００ａで示す方向に略平行である方向に移動可能であるように、操作釦１５０の軸１５１及び軸１５２を支持する支持部を構成している。
【０１２６】
なお、軸支持部材５３０の挟持案内部５３２は、操作釦１１０の軸１１１、及び、操作釦１５０の軸１５１が挿入される溝５３２ａと、溝５３２ａに対して矢印１００ａで示す方向に略平行である方向に形成され、幅が操作釦１１０の軸１１１の外径より小さく、操作釦１５０の軸１５１の外径以上であり、操作釦１５０の軸１５１が挿入される溝５３２ｂとが形成されている。
【０１２７】
また、軸支持部材５３０の挟持案内部５３３は、操作釦１１０の軸１１２、及び、操作釦１５０の軸１５２が挿入される溝５３３ａと、溝５３３ａに対して矢印１００ａで示す方向に略平行である方向に形成され、幅が操作釦１１０の軸１１２の外径より小さく、操作釦１５０の軸１５２の外径以上であり、操作釦１５０の軸１５２が挿入される溝５３３ｂとが形成されている。
【０１２８】
また、釦支持装置５１０は、図２５から図２８までに示すように、図示していないビスによって軸支持部材５３０に取り付けられた基板５４０と、操作釦１１０に設けられた突起部１１４や、操作釦１５０に設けられた突起部１５４と対向するように基板５４０に設置されたスイッチ５５１と、操作釦１１０に設けられた突起部１１５や、操作釦１５０に設けられた突起部１５５と対向するように基板５４０に設置されたスイッチ５５２と、操作釦１５０に設けられた突起部１５６と対向するように基板５４０に設置されたスイッチ５５３と、操作釦１５０に設けられた突起部１５７と対向するように基板５４０に設置されたスイッチ５５４とを備えている。
【０１２９】
なお、釦支持装置５１０は、操作釦１１０とともに第１の実施の形態に係る車載用音響機器２０１（図８参照）と同様な車載用音響機器の少なくとも一部を構成するとき、図２５に示すように、スイッチ５５３（図２７参照）及びスイッチ５５４（図２７参照）を備えていなくても良い。
【０１３０】
また、軸支持部材５３０は、スイッチ５５１が挿入されるスイッチ挿入穴５３０ａと、スイッチ５５２が挿入されるスイッチ挿入穴５３０ｂと、スイッチ５５３が挿入されるスイッチ挿入穴５３０ｃと、スイッチ５５４が挿入されるスイッチ挿入穴５３０ｄとが形成されている。
【０１３１】
次に、本実施の形態に係る釦支持装置の動作について説明する。
【０１３２】
釦支持装置５１０が、操作釦１１０とともに第１の実施の形態に係る車載用音響機器２０１（図８参照）と同様な車載用音響機器の少なくとも一部を構成するとき、車載用音響機器は、操作者による操作釦１１０の押圧によってスイッチ５５１或いはスイッチ５５２が押圧される。
【０１３３】
例えば操作釦１１０が図２６（ａ）に示す状態であるとき、操作者によって操作釦１１０のうち例えば範囲１１０ｅ（図３１参照）の部分が矢印１００ａで示す方向に押圧されると、操作釦１１０が軸１１１及び軸１１２（図２５参照）を中心に矢印１１０ｆで示す方向に回転し、図２６（ｂ）に示すようにスイッチ５５２が操作釦１１０の突起部１１５によって押圧される。
【０１３４】
また、釦支持装置５１０が、操作釦１５０とともに第１の実施の形態に係る車載用音響機器２０６（図９参照）と同様な車載用音響機器の少なくとも一部を構成するとき、車載用音響機器は、操作者による操作釦１５０の押圧によってスイッチ５５１、スイッチ５５２、スイッチ５５３或いはスイッチ５５４が押圧される。
【０１３５】
例えば操作釦１５０が図２７（ａ）に示す状態であるとき、操作者によって操作釦１５０のうち例えば範囲１５０ａ（図３２参照）の部分が矢印１００ａで示す方向に押圧されると、操作釦１５０が突起部１５３を支点として矢印１５０ｂで示す方向に回転し、図２７（ｂ）に示すようにスイッチ５５３が操作釦１５０の突起部１５６によって押圧される。
【０１３６】
また、操作釦１５０が図２８（ａ）に示す状態であるとき、操作者によって操作釦１５０のうち例えば範囲１５０ｃ（図３２参照）の部分が矢印１００ａで示す方向に押圧されると、操作釦１５０が軸１５１及び軸１５２（図２７参照）を中心に矢印１５０ｄで示す方向に回転し、図２８（ｂ）に示すようにスイッチ５５２が操作釦１５０の突起部１５５によって押圧される。
【０１３７】
以上において説明したように、釦支持装置５１０は、パネル部材５２０のリブ５２２、及び、軸支持部材５３０の挟持案内部５３２に、幅が操作釦１１０の軸１１１の外径より小さく、操作釦１５０の軸１５１の外径以上である溝５２２ｂ及び溝５３２ｂが形成されており、パネル部材５２０のリブ５２３、及び、軸支持部材５３０の挟持案内部５３３に、幅が操作釦１１０の軸１１２の外径より小さく、操作釦１５０の軸１５２の外径以上である溝５２３ｂ及び溝５３３ｂが形成されているので、スイッチの個数に対応させてパネル部材５２０及び軸支持部材５３０を作り分けなくても、軸１１１及び軸１１２の太さと、軸１５１及び軸１５２の太さとが異なるように操作釦１１０及び操作釦１５０を作り分けるだけで、操作釦１１０及び操作釦１５０によって押圧されるスイッチの個数が互いに異なる複数種類の車載用音響機器を製造することができる。
【０１３８】
即ち、操作釦１１０及び操作釦１５０によって押圧されるスイッチの個数が互いに異なる複数種類の車載用音響機器を製造するときに、パネル部材５２０及び軸支持部材５３０を共通化することができる。
【０１３９】
なお、釦支持装置５１０は、本実施の形態において、複数種類の車載用音響機器を製造するときに、パネル部材５２０及び軸支持部材５３０の双方を共通化することができる構成であったが、本発明によれば、パネル部材５２０及び軸支持部材５３０の少なくとも一方を共通化することができる構成であっても良い。
【０１４０】
例えば、複数種類の車載用音響機器を製造するときに、パネル部材５２０を共通化して、軸支持部材については複数種類の車載用音響機器で異なる形状のものを使用するようにしても良い。
【０１４１】
釦支持装置５１０は、複数種類の車載用音響機器を製造するときに、操作釦１１０や操作釦１５０と比較して大きいパネル部材５２０及び軸支持部材５３０の少なくとも一方を共通化することができる構成であれば、パネル部材５２０及び軸支持部材５３０が金型によって成型される場合、従来の釦支持装置と比較して金型の製作費を低くすることができるので、従来の釦支持装置と比較して、複数種類の車載用音響機器を低コストで製造することができる。
【０１４２】
なお、パネル部材５２０のリブ５２２及びリブ５２３と、軸支持部材５３０の挟持案内部５３２及び挟持案内部５３３とは、本実施の形態において、図２５から図２８までに示す形状であったが、本発明によれば、矢印１００ａで示す方向に略平行である方向に、幅が操作釦１１０の軸１１１及び軸１１２の外径より小さく、操作釦１５０の軸１５１及び軸１５２の外径以上である溝が形成されていれば、図２６から図２８までに示す形状以外の形状であっても良い。
【０１４３】
例えば、パネル部材５２０及び軸支持部材５３０は、リブ５２２及び挟持案内部５３２に代えて、図３３で示すように、矢印１００ａで示す方向に略平行である方向に、幅が操作釦１１０の軸１１１の外径より小さく、操作釦１５０の軸１５１の外径以上である部分を含むテーパ状の溝５２４ａ及び溝５３４ａが形成されるリブ５２４及び挟持案内部５３４を有していても良い。
【０１４４】
【発明の効果】
以上説明したように、本発明によれば、操作釦によって押圧されるスイッチの個数が互いに異なる複数種類の電子機器を製造するときに、パネル部材及び軸支持部材の少なくとも一方を共通化することができる釦支持装置を提供することができる。
【図面の簡単な説明】
【図１】本発明の第１の実施の形態に係る釦支持装置に操作釦が支持された状態での釦支持装置及び操作釦の側面断面図
【図２】（ａ）操作釦が押圧されていない状態での図１のＡ−Ａ矢視断面図
（ｂ）操作釦が押圧されている状態での図１のＡ−Ａ矢視断面図
【図３】（ａ）図１に示す釦支持装置に図１に示す操作釦とは異なる操作釦が支持され、操作釦が押圧されていない状態での釦支持装置及び操作釦の側面断面図
（ｂ）操作釦が押圧されている状態での図３（ａ）に示す釦支持装置及び操作釦の側面断面図
【図４】（ａ）操作釦が押圧されていない状態での図３（ａ）のＢ−Ｂ矢視断面図
（ｂ）操作釦が押圧されている状態での図３（ａ）のＢ−Ｂ矢視断面図
【図５】図１に示す操作釦の背面図
【図６】図３に示す操作釦の背面図
【図７】図１に示す釦支持装置のパネル部材の背面図
【図８】図１に示す釦支持装置及び操作釦を備えた車載用音響機器の正面図
【図９】図１に示す釦支持装置と、図３に示す操作釦とを備えた車載用音響機器の正面図
【図１０】図７に示すパネル部材に図１に示す操作釦が取り付けられた状態でのパネル部材及び操作釦の背面図
【図１１】図７に示すパネル部材に図３に示す操作釦が取り付けられた状態でのパネル部材及び操作釦の背面図
【図１２】本発明の第２の実施の形態に係る釦支持装置に図１に示す操作釦が支持された状態での釦支持装置及び操作釦の側面断面図
【図１３】（ａ）操作釦が押圧されていない状態での図１２のＣ−Ｃ矢視断面図
（ｂ）操作釦が押圧されている状態での図１２のＣ−Ｃ矢視断面図
【図１４】図１２に示す釦支持装置のパネル部材の背面図
【図１５】図１４に示すパネル部材に図１に示す操作釦が取り付けられた状態でのパネル部材及び操作釦の背面図
【図１６】本発明の第３の実施の形態に係る釦支持装置に操作釦が支持された状態での釦支持装置及び操作釦の側面断面図
【図１７】（ａ）操作釦が押圧されていない状態での図１６のＤ−Ｄ矢視断面図
（ｂ）操作釦が押圧されている状態での図１６のＤ−Ｄ矢視断面図
【図１８】（ａ）図１６に示す釦支持装置に図１６に示す操作釦とは異なる操作釦が支持され、操作釦が押圧されていない状態での釦支持装置及び操作釦の側面断面図
（ｂ）操作釦が押圧されている状態での図１８（ａ）に示す釦支持装置及び操作釦の側面断面図
【図１９】（ａ）操作釦が押圧されていない状態での図１８（ａ）のＥ−Ｅ矢視断面図
（ｂ）操作釦が押圧されている状態での図１８（ａ）のＥ−Ｅ矢視断面図
【図２０】図１６に示す操作釦の背面図
【図２１】図１８に示す操作釦の背面図
【図２２】図１６に示す釦支持装置のパネル部材の背面図
【図２３】図２２に示すパネル部材に図１６に示す操作釦が取り付けられた状態でのパネル部材及び操作釦の背面図
【図２４】図２２に示すパネル部材に図１８に示す操作釦が取り付けられた状態でのパネル部材及び操作釦の背面図
【図２５】本発明の第４の実施の形態に係る釦支持装置に図１に示す操作釦が支持された状態での釦支持装置及び操作釦の側面断面図
【図２６】（ａ）操作釦が押圧されていない状態での図２５のＦ−Ｆ矢視断面図
（ｂ）操作釦が押圧されている状態での図２５のＦ−Ｆ矢視断面図
【図２７】（ａ）図２５に示す釦支持装置に図１に示す操作釦とは異なる操作釦が支持され、操作釦が押圧されていない状態での釦支持装置及び操作釦の側面断面図
（ｂ）操作釦が押圧されている状態での図２７（ａ）に示す釦支持装置及び操作釦の側面断面図
【図２８】（ａ）操作釦が押圧されていない状態での図２７（ａ）のＧ−Ｇ矢視断面図
（ｂ）操作釦が押圧されている状態での図２７（ａ）のＧ−Ｇ矢視断面図
【図２９】図２７に示す操作釦の背面図
【図３０】図２５に示す釦支持装置のパネル部材の背面図
【図３１】図３０に示すパネル部材に図１に示す操作釦が取り付けられた状態でのパネル部材及び操作釦の背面図
【図３２】図３０に示すパネル部材に図２７に示す操作釦が取り付けられた状態でのパネル部材及び操作釦の背面図
【図３３】（ａ）図２５に示す構成とは異なる構成での本発明の第４の実施の形態に係る釦支持装置に図１に示す操作釦が支持された状態での釦支持装置及び操作釦の側面断面図
（ｂ）図３３（ａ）に示す釦支持装置に図２７に示す操作釦が支持された状態での釦支持装置及び操作釦の側面断面図
【図３４】従来の釦支持装置及び操作釦を備えた車載用音響機器の正面図
【図３５】図３４に示す釦支持装置及び操作釦とは異なる従来の釦支持装置及び操作釦を備えた車載用音響機器の正面図
【図３６】図３４のＨ−Ｈ矢視断面図
【図３７】（ａ）操作釦が押圧されていない状態での図３６のＪ−Ｊ矢視断面図
（ｂ）操作釦が押圧されている状態での図３６のＪ−Ｊ矢視断面図
【図３８】（ａ）操作釦が押圧されていない状態での図３５のＩ−Ｉ矢視断面図
（ｂ）操作釦が押圧されている状態での図３５のＩ−Ｉ矢視断面図
【図３９】（ａ）操作釦が押圧されていない状態での図３８（ａ）のＫ−Ｋ矢視断面図
（ｂ）操作釦が押圧されている状態での図３８（ａ）のＫ−Ｋ矢視断面図
【符号の説明】
１１０      操作釦（第１の操作釦）
１１１、１１２      軸（第１の軸）
１２０      操作釦（第２の操作釦）
１２１、１２２      軸（第２の軸）
１３０      操作釦
１３１、１３２      軸
１４０      操作釦
１４１、１４２      軸
１５０      操作釦（第２の操作釦）
１５１、１５２      軸（第２の軸）
２１０      釦支持装置
２２０      パネル部材
２２１      釦挿入穴
２２２、２２３      リブ（第一支持部）
２２４、２２５      リブ（第二支持部）
２３０      軸支持部材
２３２、２３３      軸挟持部（第一支持部）
２３４、２３５      軸案内部（第二支持部）
３１０      釦支持装置
３２０      パネル部材
３２２、３２３      リブ（第一支持部）
４１０      釦支持装置
４２０      パネル部材
４２１      釦挿入穴
４２２、４２３      リブ（第一支持部）
４２４、４２５      リブ（第二支持部）
４３０      軸支持部材
４３２、４３３      軸挟持部（第一支持部）
４３４、４３５      軸案内部（第二支持部）
５１０      釦支持装置
５２０      パネル部材
５２１      釦挿入穴
５２２、５２３      リブ（支持部）
５２２ｂ、５２３ｂ      溝
５２４      リブ（支持部）
５２４ａ      溝
５３０      軸支持部材
５３２、５３３      挟持案内部（支持部）
５３２ｂ、５３３ｂ      溝
５３４      挟持案内部（支持部）
５３４ａ      溝
【図１】
0004027710.tif 000002
【図２】
0004027710.tif 000003
【図３】
0004027710.tif 000004
【図４】
0004027710.tif 000005
【図５】
0004027710.tif 000006
【図６】
0004027710.tif 000007
【図７】
0004027710.tif 000008
【図８】
0004027710.tif 000009
【図９】
0004027710.tif 000010
【図１０】
0004027710.tif 000011
【図１１】
0004027710.tif 000012
【図１２】
0004027710.tif 000013
【図１３】
0004027710.tif 000014
【図１４】
0004027710.tif 000015
【図１５】
0004027710.tif 000016
【図１６】
0004027710.tif 000017
【図１７】
0004027710.tif 000018
【図１８】
0004027710.tif 000019
【図１９】
0004027710.tif 000020
【図２０】
0004027710.tif 000021
【図２１】
0004027710.tif 000022
【図２２】
0004027710.tif 000023
【図２３】
0004027710.tif 000024
【図２４】
0004027710.tif 000025
【図２５】
0004027710.tif 000026
【図２６】
0004027710.tif 000027
【図２７】
0004027710.tif 000028
【図２８】
0004027710.tif 000029
【図２９】
0004027710.tif 000030
【図３０】
0004027710.tif 000031
【図３１】
0004027710.tif 000032
【図３２】
0004027710.tif 000033
【図３３】
0004027710.tif 000034
【図３４】
0004027710.tif 000035
【図３５】
0004027710.tif 000036
【図３６】
0004027710.tif 000037
【図３７】
0004027710.tif 000038
【図３８】
0004027710.tif 000039
【図３９】
0004027710.tif 000040